【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
複数の受信者への通知メッセージの受領をコンピュータネットワーク上で送り確認するシステムであって、
第１モジュールを含む第１プロセッサであって、前記第１モジュールは、
前記通知メッセージの潜在的な受信者の少なくとも１つのアドレスを含む、前記通知メッセージの潜在的な受信者のコンタクトの詳細を記憶し、
録音音声を記憶し、
１人以上の前記潜在的な受信者を、通知メッセージの指定受信者として特定するデータを第１通信デバイスから受け取り、
１人以上の前記潜在的な受信者を、前記通知メッセージの指定受信者についての少なくとも１つのコンタクト宛先を特定するデータを前記第１通信デバイスから受け取り、
前記通知メッセージ受信者、前記少なくとも１つのコンタクト宛先、および前記記憶された録音音声を、通知パッケージに組み立て、
前記第１通信データと異なる位置にある、前記第１プロセッサと通信する第２プロセッサに、前記通知パッケージを送信する
よう構成される第１プロセッサと、
第２モジュールを含む前記第２プロセッサであって、前記第２モジュールは、
前記第１モジュールから前記通知パッケージを受け取り、
前記通知メッセージの指定受信者のうちの少なくとも１人、前記少なくとも１つのコンタクト宛先、および前記記憶された入力録音音声を前記通知パッケージから抽出することによって、前記通知パッケージを処理し、
前記記憶された入力録音音声が異なるフォーマットに変換される必要があるかを、前記少なくとも１つのコンタクト宛先に少なくとも一部は基づいて、かつ配信フォーマットに関する前記通知メッセージの送信者からの入力とは独立して、判定し、
前記記憶された入力録音音声を前記異なるフォーマットに変換し、
前記記憶された入力録音音声の少なくとも一部を、前記１人以上の通知メッセージの指定受信者に関連付けられた前記少なくとも１つのアドレスに、配信パラメータによって特定された通知受信者に少なくとも一部は基づいて送信し、
１人以上の前記通知メッセージの指定受信者からの、前記メッセージが受け取られたことの確認を示すデータを受け取り、
前記メッセージが前記第１モジュールに受け取られたことの確認を示す前記データを送る
よう構成される第２プロセッサと、
を備えるシステム。
【請求項２】
前記１人以上の前記通知メッセージの指定受信者から受け取られたデータは、前記メッ
セージが理解されたことの確認をさらに示す、請求項１に記載のシステム。
【請求項３】
前記１人以上の前記通知メッセージの指定受信者に関連付けられた前記少なくとも１つのアドレスに送信された前記記憶された録音音声は、音声電話を介して送信される、請求項１に記載のシステム。
【請求項４】
前記メッセージが受け取られたことの確認を示す前記データを前記第１モジュールに送ることは、前記第２モジュールに送信した前記第１モジュールからの問い合わせに応答して行われる、請求項１に記載のシステム。
【請求項５】
前記第１モジュールは、前記第１通信デバイスからメッセージ配信オプションを特定するデータを受け取るようさらに構成され、
前記メッセージ配信オプションは、前記通知メッセージ受信者が応答するように促される、１以上の質問または命令を含むオプションを備える、請求項３に記載のシステム。
【請求項６】
前記第２モジュールは、前記質問に対する前記通知メッセージ受信者によって提供された前記応答を受け取り、前記第１モジュールへの前記応答に関連したデータを送信するようにさらに構成されている、請求項５に記載のシステム。
【請求項７】
前記第２モジュールは、前記第１モジュールに関連付けられた装置を用いて複数の前記通知メッセージ受信者を会議通話へ転送するようにさらに構成されている、請求項３に記載のシステム。
【請求項８】
前記１人以上の前記通知メッセージの指定受信者のそれぞれに関連付けられた前記少なくとも１つのアドレスに送信される前記記憶された入力録音音声は、少なくとも１人の前記通知メッセージの指定受信者の少なくとも１つの電子メールアドレスに送信される、請求項１に記載のシステム。
【請求項９】
第１デバイスからの電子メッセージをネットワーク上で受信者のグループに配信する方法であって、
通知パッケージを受け取ることであって、前記通知パッケージは、
前記第１デバイスから配信されるべき前記電子メッセージを示すデータ、
前記電子メッセージの前記受信者のグループ、および
前記電子メッセージの前記受信者のグループ中の少なくとも１人の受信者についての少なくとも１つのコンタクト宛先
を含む、通知パッケージを受け取ることと、
前記受信者、前記少なくとも１つのコンタクト宛先、および前記配信されるべき電子メッセージを示す前記データのうち少なくとも１つを前記通知パッケージから抽出することと、
前記少なくとも１つのコンタクト宛先に少なくとも一部は基づいて、かつ配信フォーマットに関する前記第１デバイスからの入力とは独立して、前記電子メッセージが異なるフォーマットに変換される必要があるかを判定することと、
前記電子メッセージを前記異なるフォーマットに変換することと、
配信パラメータによって特定された通知受信者に少なくとも一部は基づいて、前記電子メッセージを前記受信者のグループ中の少なくとも１人に送信することと
を含み、
前記電子メッセージは、前記受信者に前記電子メッセージの見直しを確認するよう促すデータを含む、
方法。
【請求項１０】
各受信者について、前記電子メッセージの見直しを前記受信者が確認したことに基づいて、受信者ごとに、前記受信者が送信した電子メッセージの見直しの確認を受け取ることをさらに含んでいる、請求項９に記載の方法。
【請求項１１】
電子メッセージを示す前記データは文字である、請求項９に記載の方法。
【請求項１２】
前記文字は音声メッセージに変換され、音声メッセージとして配信される、請求項１１
に記載の方法。
【請求項１３】
前記電子メッセージを受け取る前記受信者のグループを特定するためのユーザが選択可能な第１インタフェース要素を提供することをさらに備え、前記インターフェース要素を提供することは、潜在的な受信者のリストを、前記潜在的な受信者の一部を前記受信者のグループとして特定するための選択可能なチェックボックスと共に表示することを含む、請求項９に記載の方法。
【請求項１４】
前記潜在的な受信者のうちの前記特定された一部についての１つ以上のアドレスの種類を特定するための、ユーザが選択可能なオプションを提供することをさらに含む、請求項１３に記載の方法。
【請求項１５】
送信された電子メッセージの見直しの確認を受け取ることは、前記メッセージ受信者が前記メッセージを受け取りかつ理解したかどうかに関する情報を含む電子メールを受け取ることを含む、請求項９に記載の方法。
【請求項１６】
前記電子メッセージの見直しを確認することは、前記第１デバイスに関連付けられたユーザへの電子メールメッセージを作成することを含み、前記電子メールメッセージは、前記電子メッセージを前記複数の受信者に送信したことの結果についての情報を含む、請求項９に記載の方法。
【請求項１７】
前記受信者からの前記電子メッセージの見直しを確認することは、テキスト形式の応答である、請求項９に記載の方法。
【請求項１８】
前記メッセージは、前記複数の受信者に対して提示される別の質問を含むコンタクト命令をさらに備え、前記方法は、
前記送信された通知メッセージに前記別の質問を含めることと、
前記受信者に、前記別の質問に応答するように促すことと、
１人以上の受信者から前記別の質問に対する応答を受け取ることと、
前記別の質問に対する応答を示すデータを、前記第１デバイスに関連付けられたユーザに送信することと
をさらに含む、請求項９に記載の方法。
【請求項１９】
前記メッセージを受け取りかつ理解したことの確認を示す、前記受信者のグループのうちの１人以上から受け取られた前記データは、音声応答を含んでいる、請求項９に記載の方法。
【請求項２０】
前記メッセージを受け取りかつ理解したことの確認を示す、前記受信者のグループのうちの１人以上から受け取られた前記データは、DTMF音を含んでいる、請求項９に記載の方法。
【請求項２１】
前記通知メッセージの前記確認済みの受信者のそれぞれを、会議通話ブリッジに接続することをさらに含む、請求項９に記載の方法。
【請求項２２】
前記第１デバイスを、前記確認済みの受信者と共に会議通話ブリッジに接続することをさらに含む、請求項２１に記載の方法。
【請求項２３】
第１デバイスからの電子メッセージをネットワーク上で受信者のグループに配信するシステムであって、
通知パッケージを受け取る手段であって、前記通知パッケージは、
前記第１デバイスから配信されるべき前記電子メッセージを示すデータ、
前記電子メッセージの前記受信者のグループ、および
前記電子メッセージの前記受信者のグループ中の少なくとも１人の受信者についての少なくとも１つのコンタクト宛先
を含む、通知パッケージを受け取る手段と、
前記受信者、前記少なくとも１つのコンタクト宛先、および前記配信されるべき電子メッセージを示す前記データのうち少なくとも１つを前記通知パッケージから抽出する手段と、
前記少なくとも１つのコンタクト宛先に少なくとも一部は基づいて、かつ配信フォーマットに関する前記第１デバイスからの入力とは独立して、前記電子メッセージが異なるフォーマットに変換される必要があるかを判定する手段と、
前記電子メッセージを前記異なるフォーマットに変換する手段と、
配信パラメータによって特定された通知受信者に少なくとも一部は基づいて、前記電子メッセージを前記受信者のグループ中の少なくとも１人に送信する手段と
を含み、
前記電子メッセージは、前記受信者に前記電子メッセージの見直しを確認するよう促すデータを含む、
システム。
【請求項２４】
第１デバイスからの電子メッセージをネットワーク上で受信者のグループに配信するためのコンピュータで読み取り可能なプログラムコードをその中に具現化したコンピュータで読み取り可能な非経過的記録媒体であって、前記コンピュータで読み取り可能なプログラムコードは、
通知パッケージを受け取ることであって、前記通知パッケージは、
前記第１デバイスから配信されるべき前記電子メッセージを示すデータ、
前記電子メッセージの前記受信者のグループ、および
前記電子メッセージの前記受信者のグループ中の少なくとも１人の受信者についての少なくとも１つのコンタクト宛先
を含む、通知パッケージを受け取ることと、
前記受信者、前記少なくとも１つのコンタクト宛先、および前記配信されるべき電子メッセージを示す前記データのうち少なくとも１つを前記通知パッケージから抽出することと、
前記少なくとも１つのコンタクト宛先に少なくとも一部は基づいて、かつ配信フォーマットに関する前記第１デバイスからの入力とは独立して、前記電子メッセージが異なるフォーマットに変換される必要があるかを判定することと、
前記電子メッセージを前記異なるフォーマットに変換することと、
配信パラメータによって特定された通知受信者に少なくとも一部は基づいて、前記電子メッセージを前記受信者のグループ中の少なくとも１人に送信することと
の命令を含み、
前記電子メッセージは、前記受信者に前記電子メッセージの見直しを確認するよう促すデータを含む、
コンピュータで読み取り可能な非経過的記録媒体。
【請求項２５】
前記第２プロセッサは、共通の配信特性を有する通知受信者について、前記通知パッケージを処理するよう構成される、
請求項１に記載のシステム。
【請求項２６】
前記第２プロセッサは、前記記憶された入力録音音声が変換されるべきかを判断し、前記共通の配信特性を有する通知受信者について、前記記憶された入力録音音声を一度だけ変換する、
請求項２５に記載のシステム。